(57)【要約】【課題】  表示制御方法、表示制御装置及びコンピュータプログラムを提供する。【解決手段】表示部上に表示された第１領域に対するユーザの第１入力を取得する段階と、第１入力に基づいて、第１領域内の入力基準オブジェクトをアクティブ化する段階と、第１入力に基づいて、表示部上の第２領域に、入力基準オブジェクトの操作のためのインターフェースを表示する段階と、インターフェースに対するユーザの第２入力を取得する段階と、第２入力に基づいて、第１領域内における入力基準オブジェクトの位置を変更する段階と、を含む表示制御方法である。【選択図】      図３
2018018484.tif 000002
【特許請求の範囲】
【請求項１】
表示部上に表示された第１領域に対するユーザの第１入力を取得する段階と、
前記第１入力に基づいて、前記第１領域内の入力基準オブジェクトをアクティブ化する段階と、
前記第１入力に基づいて、前記表示部上の第２領域に、前記入力基準オブジェクトの操作のためのインターフェースを表示する段階と、
前記インターフェースに対するユーザの第２入力を取得する段階と、
前記第２入力に基づいて、前記第１領域内における前記入力基準オブジェクトの位置を変更する段階と、を含む表示制御方法。
【請求項２】
前記インターフェースを表示する段階は、
前記第２領域内のいずれか１つの地点を基準地点として設定し、
前記基準地点は、前記第１領域内における前記入力基準オブジェクトの現在位置と対応する地点である、請求項１に記載の表示制御方法。
【請求項３】
前記入力基準オブジェクトの位置を変更する段階は、
前記基準地点と、前記第２入力に対応する入力地点との相対的位置関係；及び前記入力基準オブジェクトの現在位置と、前記入力基準オブジェクトの変更位置との相対的位置関係；が対応するように、前記第１領域内における前記入力基準オブジェクトの位置を、前記変更位置に変更する、請求項２に記載の表示制御方法。
【請求項４】
前記第１領域内において、前記入力基準オブジェクトの位置は、１つの軸に沿って変更され、
前記インターフェースは、
前記入力基準オブジェクトの位置変更のための、一方向に沿って延びているスライダーと、
前記基準地点または前記第２入力に対応する入力地点に表示されるものであり、前記スライダー上に表示されるノブと、を含む、請求項２または３に記載の表示制御方法。
【請求項５】
前記第２入力は、連続する１以上の入力を含み、
前記１以上の入力のうち少なくとも一つは、前記ノブに対する入力である、請求項４に記載の表示制御方法。
【請求項６】
前記第２入力が終わった後、前記基準地点と対応する地点を、前記第１領域内における前記入力基準オブジェクトの現在位置と対応する地点に更新する段階をさらに含む、請求項２ないし５のうちいずれか１項に記載の表示制御方法。
【請求項７】
前記第１領域内において、前記入力基準オブジェクトの位置は、二次元空間上で変更され、
前記インターフェースは、
前記入力基準オブジェクトの位置変更のための二次元平面と、
前記基準地点または前記第２入力に対応する入力地点に表示されるものであり、前記二次元平面上に表示されるノブと、を含む、請求項２または３に記載の表示制御方法。
【請求項８】
前記第１領域において、前記の変更された位置に前記入力基準オブジェクトを表示する段階をさらに含む、請求項１ないし７のうちいずれか１項に記載の表示制御方法。
【請求項９】
前記第１領域は、テキストが入力されるテキストボックスであり、
前記第１入力は、前記テキストボックスの少なくとも一部に対するタップ、クリック及びタッチのうちいずれか一つである、請求項１ないし７のうちいずれか１項に記載の表示制御方法。
【請求項１０】
１以上の領域を含む画面を表示する表示部と、
前記表示部上に表示された１以上のオブジェクトに対するユーザの入力を取得する入力部と、
前記入力部が、前記表示部上に表示された第１領域に対するユーザの第１入力を取得した場合、前記第１領域内の入力基準オブジェクトをアクティブ化し、前記表示部上の第２領域に、前記入力基準オブジェクトの操作のためのインターフェースを表示し、前記入力部が、前記表示部上に表示された前記インターフェースに対するユーザの第２入力を取得した場合、前記第２入力に基づいて、前記第１領域内における前記入力基準オブジェクトの位置を変更する制御部と、を含む表示制御装置。
【請求項１１】
前記制御部は、前記第２領域内のいずれか１つの地点を基準地点として設定し、
前記基準地点は、前記第１領域内における前記入力基準オブジェクトの現在位置と対応する地点である、請求項１０に記載の表示制御装置。
【請求項１２】
前記制御部は、前記基準地点と、前記第２入力に対応する入力地点との相対的位置関係；及び前記入力基準オブジェクトの現在位置と、前記入力基準オブジェクトの変更位置との相対的位置関係；が対応するように、前記第１領域内における前記入力基準オブジェクトの位置を、前記変更位置に変更する、請求項１１に記載の表示制御装置。
【請求項１３】
前記制御部は、前記第１領域内において、１つの軸に沿って前記入力基準オブジェクトの位置を変更し、
前記インターフェースは、
前記入力基準オブジェクトの位置変更のための、一方向に沿って延びているスライダーと、
前記基準地点または前記第２入力に対応する入力地点に表示されるものであり、前記スライダー上に表示されるノブと、を含む、請求項１１または１２に記載の表示制御装置。
【請求項１４】
前記入力部は、連続する１以上の入力を含む第２入力を取得し、
前記１以上の入力のうち少なくとも一つは、前記ノブに対する入力である、請求項１３に記載の表示制御装置。
【請求項１５】
前記入力部による前記第２入力の取得が終わった場合、前記制御部は、前記基準地点と対応する地点を、前記第１領域内における前記入力基準オブジェクトの現在位置と対応する地点に更新する、請求項１１ないし１４のうちいずれか１項に記載の表示制御装置。
【請求項１６】
前記制御部は、前記第１領域内において、二次元空間上で前記入力基準オブジェクトの位置を変更し、
前記インターフェースは、
前記入力基準オブジェクトの位置変更のための二次元平面と、
前記基準地点または前記第２入力に対応する入力地点に表示されるものであり、前記二次元平面上に表示されるノブと、を含む、請求項１１または１２に記載の表示制御装置。
【請求項１７】
前記制御部は、前記第１領域において、前記の変更された位置に前記入力基準オブジェクトを表示する、請求項１０ないし１６のうちいずれか１項に記載の表示制御装置。
【請求項１８】
コンピュータに、請求項１ないし９のうちいずれか１項に記載の表示制御方法を実行させるコンピュータプログラム。
【発明の詳細な説明】
【技術分野】
【０００１】
本発明は、表示制御方法、表示制御装置及びコンピュータプログラムに関する。
【背景技術】
【０００２】
情報通信技術の飛躍的な発展によって、移動通信端末、パーソナルコンピュータのような多種の端末は、多様な機能を実行できるように具現化されている。
【０００３】
移動通信端末を例として挙げて説明すると、移動通信端末は、基本的な音声通信機能からさらに進んで、最近では、データ通信、カメラを利用した写真や動画の撮影、音楽ファイルまたは動画ファイルの再生、ゲーム、放送視聴など多様な機能を利用できるように具現化されている。
【０００４】
最近では、かような端末を利用して通信網に接続した後、多数のユーザとの間でメッセージを送受信することにより、対話を進めることができるメッセンジャープログラムの使用頻度が持続的に増加している。しかし、移動通信端末は、携帯性によるその大きさの制約により、表示手段及び入力手段の物理的大きさの制約があって、かような大きさの制約によって、ユーザは、メッセージを入力する過程において、多くの入力ミスを発生させるという問題点がある。
【０００５】
また、かような入力ミスを修正するために、ユーザは、入力ミスが発生した部分を選択しなければならないが、かような選択過程において、選択部分が指で隠されることにより、ユーザは、どの部分が正確に選択されたかということを確認することができないという問題点がある。
【発明の概要】
【発明が解決しようとする課題】
【０００６】
本発明が解決しようとする課題は、前述の問題点を解決するためのものであり、入力基準オブジェクトの移動正確度を向上させる方法、装置及びコンピュータプログラムを提供することである。
【０００７】
本発明が解決しようとする課題はまた、入力基準オブジェクトの操作のためのインターフェースを提供する方法、装置及びコンピュータプログラムを提供することである。
【０００８】
本発明が解決しようとする課題はまた、さらに簡便であって直観的に、入力基準オブジェクトを移動させることができる方法、装置及びコンピュータプログラムを提供することである。
【課題を解決するための手段】
【０００９】
本発明の一実施形態による表示制御方法は、表示部上に表示された第１領域に対するユーザの第１入力を取得する段階と、前記第１入力に基づいて、前記第１領域内の入力基準オブジェクトをアクティブ化する段階と、前記第１入力に基づいて、前記表示部上の第２領域に、前記入力基準オブジェクトの操作のためのインターフェースを表示する段階と、前記インターフェースに対するユーザの第２入力を取得する段階と、前記第２入力に基づいて、前記第１領域内での前記入力基準オブジェクトの位置を変更する段階と、を含んでよい。
【００１０】
前記インターフェースを表示する段階は、前記第２領域内のいずれか１つの地点を基準地点として設定し、前記基準地点は、前記第１領域内での前記入力基準オブジェクトの現在位置と対応する地点であってよい。
【００１１】
前記入力基準オブジェクトの位置を変更する段階は、前記基準地点と、前記第２入力に対応する入力地点との相対的位置関係；及び前記入力基準オブジェクトの現在位置と、前記入力基準オブジェクトの変更位置との相対的位置関係；が対応するように、前記第１領域内での前記入力基準オブジェクトの位置を、前記変更位置に変更することができる。
【００１２】
前記インターフェースは、前記入力基準オブジェクトの位置変更のための、一方向に沿って延びているスライダー（slider）、及び前記基準地点または前記第２入力に対応する入力地点に表示されるものであり、前記スライダー上に表示されるノブ（knob）を含んでよい。
【００１３】
前記第２入力は、連続する１以上の入力を含み、前記１以上の入力のうち少なくとも一つは、前記ノブに対する入力であってよい。
【００１４】
本発明の一実施形態による表示制御方法は、前記第２入力が終わった後、前記基準地点と対応する地点を、前記第１領域内での前記入力基準オブジェクトの現在位置と対応する地点に更新する段階をさらに含んでもよい。
【００１５】
本発明の他の実施形態によれば、前記第１領域内において、前記入力基準オブジェクトの位置は、二次元空間上で変更され、前記インターフェースは、前記入力基準オブジェクトの位置変更のための二次元平面、及び前記基準地点または前記第２入力に対応する入力地点に表示されるものであり、前記二次元平面上に表示されるノブを含んでよい。
【００１６】
本発明の一実施形態による表示制御方法は、前記第１領域において、前記の変更された位置に前記入力基準オブジェクトを表示する段階をさらに含んでもよい。
【００１７】
前記第１領域は、テキストが入力されるテキストボックスであり、前記第１入力は、前記テキストボックスの少なくとも一部に対するタップ、クリック及びタッチのうちいずれか一つであってよい。
【００１８】
本発明の一実施形態による表示制御装置は、１以上の領域を含む画面を表示する表示部と、前記表示部上に表示された１以上のオブジェクトに対するユーザの入力を取得する入力部と、前記入力部が、前記表示部上に表示された第１領域に対するユーザの第１入力を取得した場合、前記第１領域内の入力基準オブジェクトをアクティブ化し、前記表示部上の第２領域に、前記入力基準オブジェクトの操作のためのインターフェースを表示し、前記入力部が、前記表示部上に表示された前記インターフェースに対するユーザの第２入力を取得した場合、前記第２入力に基づいて、前記第１領域内における前記入力基準オブジェクトの位置を変更する制御部と、を含んでよい。
【００１９】
前記制御部は、前記第２領域内のいずれか１つの地点を基準地点として設定し、前記基準地点は、前記第１領域内における前記入力基準オブジェクトの現在位置と対応する地点であってよい。
【００２０】
前記制御部は、前記基準地点と、前記第２入力に対応する入力地点との相対的位置関係；及び前記入力基準オブジェクトの現在位置と、前記入力基準オブジェクトの変更位置との相対的位置関係；が対応するように、前記第１領域内における前記入力基準オブジェクトの位置を、前記変更位置に変更することができる。
【００２１】
前記制御部は、前記第１領域内において、１つの軸に沿って前記入力基準オブジェクトの位置を変更し、前記インターフェースは、前記入力基準オブジェクトの位置変更のための、一方向に沿って延びているスライダー、及び前記基準地点または前記第２入力に対応する入力地点に表示されるものであり、前記スライダー上に表示されるノブを含んでよい。
【００２２】
前記入力部は、連続する１以上の入力を含む第２入力を取得し、前記１以上の入力のうち少なくとも一つは、前記ノブに対する入力であってよい。
【００２３】
前記制御部は、前記入力部による前記第２入力の取得が終わった場合、前記基準地点と対応する地点を、前記第１領域内における前記入力基準オブジェクトの現在位置と対応する地点に更新することができる。
【００２４】
本発明の他の実施形態によれば、前記制御部は、前記第１領域内において、二次元空間上で前記入力基準オブジェクトの位置を変更し、前記インターフェースは、前記入力基準オブジェクトの位置変更のための二次元平面、及び前記基準地点または前記第２入力に対応する入力地点に表示されるものであり、前記二次元平面上に表示されるノブを含んでよい。
【００２５】
前記制御部は、前記第１領域において、前記の変更された位置に前記入力基準オブジェクトを表示する。
【００２６】
本発明の一実施形態によるコンピュータを利用して方法を実行させるために、記録媒体に保存されたコンピュータプログラムは、表示部上に表示された第１領域に対するユーザの第１入力を取得する段階と、前記第１入力に基づいて、前記第１領域内の入力基準オブジェクトをアクティブ化する段階と、前記第１入力に基づいて、前記表示部上の第２領域に、前記入力基準オブジェクトの操作のためのインターフェースを表示する段階と、前記インターフェースに対するユーザの第２入力を取得する段階と、前記第２入力に基づいて、前記第１領域内における前記入力基準オブジェクトの位置を変更する段階と、をコンピュータに実行させてよい。
【００２７】
前述したもの以外の他の側面、特徴、利点が、以下の図面、特許請求の範囲、及び発明の詳細な説明から明確になるであろう。
【発明の効果】
【００２８】
本発明の実施形態は、入力基準オブジェクトが表示される領域と、かような入力基準オブジェクトの位置を変更するためのインターフェースが表示される領域とを、分けられた領域に表示することにより、さらに簡便な操作で、正確に入力基準オブジェクトを、所望地点に位置させることができる。
【００２９】
本発明の実施形態はまた、入力基準オブジェクトの移動正確度を向上させることができ、さらに簡便であって直観的に、入力基準オブジェクトを移動させることができる。
【００３０】
本発明の実施形態はさらに、ユーザ端末の操作性を向上させることができる。
【図面の簡単な説明】
【００３１】
【図１】本発明の一実施形態による表示制御方法が実行されるユーザ端末の構成を示した図面である。
【図２】本発明の一実施形態による表示制御方法が実行されるユーザ端末の構成を示した図面である。
【図３】ユーザ端末によって実行される表示制御方法について説明するためのフローチャートである。
【図４】本発明の一実施形態による、ユーザ端末の表示部上に、第１入力を実行する画面を図示した図面である。
【図５】インターフェースを介して、入力基準オブジェクトの位置を変更する画面を図示した図面である。
【図６】二次元インターフェースを介して、入力基準オブジェクトの位置を変更する画面を図示した図面である。
【発明を実施するための形態】
【００３２】
本発明は、多様な変更を加えることができ、さまざまな実施形態を有することができるが、特定の実施形態を図面に例示し、詳細な説明によって詳細に説明する。本発明の効果、特徴、及びそれらを達成する方法は、図面と共に詳細に後述されている実施形態を参照すれば、明確になるであろう。しかし、本発明は、以下で開示される実施形態に限定されるものではなく、多様な形態で具現化されるものである。
【００３３】
以下、添付された図面を参照し、本発明の実施形態について詳細に説明するが、図面を参照して説明するとき、同一であるか、あるいは対応する構成要素は、同一の符号を付し、それについての重複説明は省略する。
【００３４】
以下の実施形態において、第１、第２のような用語は、限定的な意味ではなく、１つの構成要素を他の構成要素と区別する目的で使用されている。以下の実施形態において、単数の表現は、文脈上明白に異なって意味しない限り、複数の表現を含む。以下の実施形態において、「含む」または「有する」というような用語は、明細書に記載された特徴または構成要素が存在するということを意味するものであり、１以上の他の特徴または構成要素が付加される可能性をあらかじめ排除するものではない。図面では、説明の便宜のために、構成要素の大きさが誇張または縮小されていることがある。例えば、図面に示された各構成の大きさ及び形態は、説明の便宜のために任意に示されており、本発明は、必ずしも図示されたものに限定されるものではない。
【００３５】
図１は、本発明の一実施形態による表示制御方法が実行されるユーザ端末１００の構成を示した図面である。
【００３６】
ユーザ端末１００は、パソコン（ＰＣ：personal  computer）であってもよいし、携帯端末であってもよい。図１では、ユーザ端末１００が携帯端末であり、表示部１１０を含むスマートフォンとして図示されているが、本発明の思想は、それに限定されるものではない。
【００３７】
図２を参照すると、本発明の一実施形態によるユーザ端末１００は、表示部１１０、制御部１２０及びメモリ１３０を含んでよい。
【００３８】
一実施形態による表示部１１０は、制御部１２０が生成した電気信号に応じて、図形、文字、またはそれらの組み合わせを表示する表示装置を意味する。例えば、表示部１１０は、ＣＲＴ（cathode  ray  tube）、ＬＣＤ（liquid  crystal  display）、ＰＤＰ（plasma  display  panel）及びＯＬＥＤ（organic  light  emitting  diode）のうちいずれか一つで構成されるが、本発明の思想は、それに限定されるものではない。
【００３９】
表示部１１０は、ユーザの入力を取得することができる入力手段を具備することができる。例えば、表示部１１０は、ユーザのタッチ座標を判別し、電気的信号に変換するディジタイザ（digitizer）をさらに具備し、表示装置に表示される画面によるユーザの入力を取得することができる。言い換えれば、表示部１１０は、タッチパネルを具備したタッチスクリーンであってよい。この場合、タッチパネルは、ユーザのタッチ座標だけではなく、タッチ圧力をさらに判別し、電気的信号に変換することができる。
【００４０】
ただし、このような入力手段は、表示部１１０と別途に具備されてもよいということは言うまでもない。例えば、入力手段は、表示部１１０と別途に具備されるキーボード、マウス、トラックボール、マイク及びボタンのうちいずれか一つであってもよい。
【００４１】
以下では、表示部１１０が、ユーザのタッチの有無及びタッチ圧力を判別することができる入力手段を具備するタッチスクリーンであるということを前提に説明するが、本発明は、それに限定されるものではない。
【００４２】
一実施形態による制御部１２０は、プロセッサのように、データを処理することができる全種の装置を含んでよい。ここで、「プロセッサ」は、例えば、プログラム内に含まれるコードまたは命令によって表現された機能を実行するために、物理的に構造化された回路を有する、ハードウェアに内蔵されたデータ処理装置を意味する。このようなハードウェアに内蔵されたデータ処理装置の例としては、マイクロプロセッサ、中央処理装置（ＣＰＵ：central  processing  unit）、プロセッサコア、マルチプロセッサ、ＡＳＩＣ（application-specific  integrated  circuit）、ＦＰＧＡ（field  programmable  gate  array）などの処理装置を網羅することができるが、本発明の範囲は、それらに限定されるものではない。
【００４３】
一実施形態によるメモリ１３０は、ユーザ端末１００が処理するデータ、命令、プログラム、プログラムコードまたはそれらの組み合わせなどを、一時的または永久的に保存する機能を実行する。メモリ１３０は、磁気記録媒体またはフラッシュ記録媒体を含んでよいが、本発明の範囲は、それらに限定されるものではない。
【００４４】
図面には図示されていないが、本発明の一実施形態によるユーザ端末１００は、通信部を含んでもよい。このような通信部は、他のネットワーク装置との間で、有線／無線接続を介して、制御信号またはデータ信号のような信号を送受信するために必要なハードウェア及びソフトウェアを含む装置であってよいが、本発明の範囲は、それに限定されるものではない。
【００４５】
一実施形態による制御部１２０は、表示部１１０上に表示された第１領域に対するユーザの第１入力を取得することができる。
【００４６】
本発明において、「表示部上に表示された領域」のようなある「領域」は、１つの表示部１１０上において、コンテンツ及び操作インターフェースなどが表示される分けられた領域を意味することもできる。
【００４７】
一方、本発明において、「ある領域に対する入力」は、表示部１１０に、当該領域が表示された位置、または表示されたと認めることができる位置に対する入力を意味する。
【００４８】
前述のように、本発明において、表示部１１０は、タッチスクリーンを意味するので、第１入力、そして以下で説明する第２入力などは、タッチスクリーン上で行われるユーザの入力を意味する。
【００４９】
また、かような入力は、単純なタッチ入力、複数の互いに異なるタッチ圧力を含む入力、一方向に既設定の所定速度以上で移動する入力、既設定の時間以内に、複数の入力が反復される入力、及び既設定の時間以上の間持続される入力のうちいずれか一つであってよい。
【００５０】
本発明において、「第１領域」は、ユーザがその内容を編集しようとする対象領域を意味する。例えば、第１領域は、ウェブアドレスを入力するアドレスウィンドウのようなテキストボックスであってよく、ユーザは、第１領域に対する第１入力を実行することによりテキストボックスに対する内容の編集を開始することができる。ここで、このような編集は、テキストの追加、修正及び削除などを意味する。ただし、それらは、例示的なものであり、本発明の思想は、それらに限定されるものではなく、テキスト以外に、キャラクタ、イメージ及び動画を含む領域も、本発明の第１領域になるということは自明である。
【００５１】
一実施形態による制御部１２０は、取得された第１入力に基づいて、第１領域内の入力基準オブジェクトをアクティブ化することができる。
【００５２】
本発明において、「入力基準オブジェクト」は、現在入力及び／または編集がなされている部分（位置）を示すためのオブジェクトを意味する。前述のように、本発明において、第１領域は、ユーザがその内容を編集しようとする対象領域を意味するので、入力基準オブジェクトは、第１領域の内容中、いずれの部分（位置）に対する編集がなされているかということを示すことができる。例えば、入力基準オブジェクトは、コンピュータ上で使用されるカーソルであってよい。
【００５３】
一方、本発明において、入力基準オブジェクトの「アクティブ化」は、該入力基準オブジェクトが使用可能な状態に転換されるということを意味する。例えば、入力基準オブジェクトの「アクティブ化」は、第１領域に入力基準オブジェクトを表示し、ユーザの操作によって、移動可能にすることを意味する。ただし、かような説明は、例示的なものであり、本発明の思想は、それに限定されるものではない。
【００５４】
一実施形態による制御部１２０は、第１入力に基づいて、表示部１１０上の第２領域に、入力基準オブジェクトの操作のためのインターフェースを表示することができる。
【００５５】
前述のように、「表示部上の領域」のようなある「領域」は、表示部１１０上において、コンテンツ及び操作インターフェースが表示される分けられた領域を意味する。また、入力基準オブジェクトは、現在入力及び／または編集がなされている部分を示すためのオブジェクトを意味する。
【００５６】
本発明において、「入力基準オブジェクトの操作のためのインターフェース」は、入力基準オブジェクトの第１領域内における位置を移動させるための多様なインターフェースを意味する。例えば、このようなインターフェースは、入力基準オブジェクトの位置を１つの軸に沿って変更するためのスライダー、及びスライダー上で動くものであり、第１領域での入力基準オブジェクトの位置に対応するノブを含んでよい。かような場合、ユーザは、ノブをスライダーに沿って移動させることにより、第１領域内における入力基準オブジェクトの位置を移動させることができる。
【００５７】
また、このようなインターフェースは、入力基準オブジェクトの位置を二次元空間内で変更するための、全方向に操作が可能なノブを含んでもよい。かような場合、ユーザは、入力基準オブジェクトの位置を、移動させようとする方向にノブを操作することにより、第１領域内における入力基準オブジェクトの位置を移動させることができる。
【００５８】
ただし、前述の２つのインターフェースは、例示的なものであり、ユーザの操作に対応し、オブジェクトの位置を移動させることができる手段であるならば、本発明に制限なしに使用される。
【００５９】
一実施形態による制御部１２０は、インターフェース表示において、第２領域内のいずれか１つの地点を基準地点として設定することができる。ここで、該基準地点は、第１領域内における入力基準オブジェクトの現在位置と対応する地点を意味する。
【００６０】
制御部１２０は、第１領域内における入力基準オブジェクトの現在位置と対応する基準地点を、第２領域内に設定することにより、他の領域である第１領域にある入力基準オブジェクトの位置を第２領域に示し、それを参照し、ユーザは、第１領域内の入力基準オブジェクトの位置を変更することができる。
【００６１】
一方、制御部１２０による「入力基準オブジェクトのアクティブ化」及び「操作のためのインターフェース表示」は、同時または順次に実行される。従って、制御部１２０は、入力基準オブジェクトをアクティブ化すると同時に、操作のためのインターフェースを表示することもできるし、入力基準オブジェクトをアクティブ化した後、操作のためのインターフェースを表示することもできる。
【００６２】
一実施形態による制御部１２０は、第２領域に表示されたインターフェースに対するユーザの第２入力を取得することができる。
【００６３】
前述のように、「ある領域に対する入力」は、表示部１１０に、当該領域が表示された位置、または表示されたと認めることができる位置に対する入力を意味する。従って、第２領域に表示されたインターフェースに対する入力を取得することも、表示部１１０に、当該インターフェースが表示された位置、または表示されたと認めることができる位置に対する入力を取得することを意味する。ここで、第２入力のような「入力」は、前述の通りであるので、詳細な説明は省略する。
【００６４】
第２入力は、インターフェースの種類によって異なる。例えば、該インターフェースが、入力基準オブジェクトの位置を１つの軸に沿って変更するためのスライダー、及びスライダー上で動くものであり、入力基準オブジェクトの位置を意味するノブを含む場合、第２入力は、スライダー上のノブに対する連続する入力であってよい。ここで、「連続する入力」は、１以上の入力がドラッグで連結されることを意味し、ドラッグは、最初入力がなされた状態で、入力の解除なしに、他の地点に入力を移動させることを意味する。従って、制御部１２０は、第２入力として、ノブに対する入力を含み、ドラッグで連結された連続する入力を取得することができる。
【００６５】
一方、インターフェースが、入力基準オブジェクトの位置を二次元空間内で変更するための、全方向に操作が可能なノブを含む場合、第２入力は、ノブを一方向に押したり引いたりするドラッグ及び／またはタッチであってよい。ここで、かような場合にも、第２入力は、連続する入力であってよいということは言うまでもない。
【００６６】
ただし、第２入力は、前述の例示に限定されるものではなく、インターフェースの種類によって異なる。
【００６７】
一実施形態による制御部１２０は、取得された第２入力に基づいて、第１領域内における入力基準オブジェクトの位置を変更することができる。
【００６８】
例えば、制御部１２０は、基準地点と、第２入力に対応する入力地点との相対的位置関係；及び入力基準オブジェクトの現在位置と、入力基準オブジェクトの変更位置との相対的位置関係；が対応するように、第１領域内における入力基準オブジェクトの位置を、変更位置に変更することができる。ここで、この場合にも、前述のように、基準地点は、第１領域内における入力基準オブジェクトの現在位置と対応する地点を意味するということは言うまでもない。
【００６９】
仮にインターフェースが、入力基準オブジェクトの位置を１つの軸に沿って変更するためのスライダー、及びスライダー上で動くものであり、入力基準オブジェクトの位置を意味するノブを含み、基準地点が、スライダーの中央であると仮定する。このとき、ユーザが、基準地点を基準に、スライダー上の左にノブをドラッグした場合、該基準地点と、第２入力に対応する入力地点との相対的位置関係は、中央である地点（基準地点）、及び中央より相対的に左側である地点（第２入力に対応する地点）になり得る。制御部１２０は、かような相対的な位置関係を参照し、入力基準オブジェクトの現在位置と変更位置との関係が、前述の関係に対応するように、入力基準オブジェクトの変更位置を決定することができる。言い換えれば、制御部１２０は、入力基準オブジェクトの変更位置が、入力基準オブジェクトの現在位置より相対的に左側に位置するように、入力基準オブジェクトの変更位置を決定することができる。
【００７０】
このとき、制御部１２０は、基準地点と、第２入力に対応する入力地点との間の距離（以下、第１距離）を参照し、入力基準オブジェクトの現在位置と、入力基準オブジェクトの変更位置との距離（以下、第２距離）を決定することができる。例えば、制御部１２０は、前述の第１距離と、前述の第２距離とが同一であるように決定することもできるし、第２距離が第１距離の２倍、３倍または５倍になるように決定することもできる。かような倍率の決定は、表示部１１０の大きさ、入力手段（図示せず）の感度などに応じて設定されてもよいし、あるいはユーザによって設定されてもよい。
【００７１】
一方、インターフェースが、入力基準オブジェクトの位置を二次元空間内で変更するための、全方向に操作が可能なノブを含み、基準地点が、インターフェースの中央であると仮定する。このとき、ユーザが、基準地点を基準に、インターフェースの左上端にノブをドラッグした場合、基準地点と、第２入力に対応する入力地点との相対的位置関係は、中央である地点（基準地点）、及び中央より相対的に左上端である地点（第２入力に対応する地点）になり得る。制御部１２０は、かような相対的位置関係を参照し、入力基準オブジェクトの変更位置が、入力基準オブジェクトの現在位置より、相対的に左上端に位置するように、入力基準オブジェクトの変更位置を決定することができる。ここで、かような場合にも、制御部１２０は、第１距離及び設定された倍率を用いて、第２距離を決定することができるということは言うまでもない。
【００７２】
一方、制御部１２０は、第２入力が連続する１以上の入力を含む場合、連続する第２入力に基づいて、第１領域内における入力基準オブジェクトの位置を連続して変更することができる。さらには、制御部１２０は、連続する第２入力が終わった場合、第２領域内の基準地点と対応する第１領域内の地点を、第１領域内における入力基準オブジェクトの現在位置と対応する地点に更新することができる。
【００７３】
例えば、インターフェースが、入力基準オブジェクトの位置を１つの軸に沿って変更するためのスライダー、及びスライダー上で動くものであり、入力基準オブジェクトの位置を意味するノブを含み、第２入力が、ノブを左側にドラッグする入力である場合、第１領域内の入力基準オブジェクトの位置が左側に変更される。このとき、第２入力であるノブを左側にドラッグする入力が終われば、制御部１２０は、ノブが再びスライダーの中央に表示されるようにし、ノブの位置と対応する第１領域内における地点を、第１領域内における入力基準オブジェクトの現在位置と対応する地点に更新することができる。言い換えれば、制御部１２０は、第２入力が終わった場合、第２領域内の基準地点と対応する第１領域内の地点を、第１領域内における入力基準オブジェクトの現在位置と対応する地点に更新することができる。
【００７４】
一実施形態による制御部１２０は、第１領域に、変更された位置によって、入力基準オブジェクトを表示することができる。
【００７５】
このように、ユーザは、第１領域内の入力基準オブジェクトをさらに正確であって迅速に移動させることができる。特に、ユーザ端末１００がタッチパネルを入力手段として具備する場合、現在入力がなされている領域は、必然的にユーザの指によって隠されるので、正確な入力が困難であるという不都合があった。さらに詳細には、文章の入力中に、文章の他の部分に発生した入力ミスを修正したり、文章の中間に一部語句を追加したりしたい場合、入力ミスが発生した地点、または修正を所望する地点に、入力基準オブジェクトを正確に位置させ難いという不都合があった。
【００７６】
本発明は、入力基準オブジェクトが表示される領域と、かような入力基準オブジェクトの位置を変更するためのインターフェースが表示される領域とを、分けられた領域に表示することにより、さらに簡便な操作でもって、正確に入力基準オブジェクトを、所望地点に位置させることができる。それにより、本発明は、ユーザ端末１００の操作性を向上させることができる。
【００７７】
図３は、ユーザ端末１００によって実行される表示制御方法について説明するためのフローチャートである。以下では、図１及び図２で説明した内容と重複する内容の詳細な説明は省略する。
【００７８】
まず、図３を参照すると、一実施形態による制御部１２０は、表示部１１０上に表示された第１領域に対するユーザの第１入力を取得することができる（Ｓ３１）。
【００７９】
本発明において、「第１領域」は、ユーザがその内容を編集しようとする対象領域を意味する。例えば、第１領域は、テキストボックスであってよく、ユーザは、第１領域に対する第１入力を実行することにより、テキストボックスに対する内容を編集することができる。ここで、このような編集は、テキストの追加、修正及び削除などを意味する。ただし、それらは例示的なものであり、本発明の思想は、それらに限定されるものではなく、テキスト以外に、キャラクタ、イメージ及び動画を含む領域も、本発明の第１領域になるということは自明である。
【００８０】
一実施形態による制御部１２０は、取得された第１入力に基づいて、第１領域内の入力基準オブジェクトをアクティブ化することができる（Ｓ３２）。
【００８１】
本発明において、「入力基準オブジェクト」は、現在入力及び／または編集がなされている部分を示すためのオブジェクトを意味する。前述のように、本発明において、第１領域は、ユーザがその内容を編集しようとする対象領域を意味するので、入力基準オブジェクトは、第１領域の内容のうちいずれの部分に対する編集がなされているかということを示すことができる。例えば、入力基準オブジェクトは、コンピュータ上で使用されるカーソルであってよい。
【００８２】
一方、本発明において、入力基準オブジェクトの「アクティブ化」は、入力基準オブジェクトが使用可能な状態に転換されることを意味する。例えば、入力基準オブジェクトの「アクティブ化」は、第１領域に入力基準オブジェクトを表示し、ユーザの操作によって移動可能にすることを意味する。ただし、かような説明は例示的なものであり、本発明の思想は、それに限定されるものではない。
【００８３】
一実施形態による制御部１２０は、第１入力に基づいて、表示部１１０上の第２領域に、入力基準オブジェクトの操作のためのインターフェースを表示することができる（Ｓ３３）。
【００８４】
ここで、入力基準オブジェクトは、現在入力及び／または編集がなされている部分を示すためのオブジェクトを意味する。
【００８５】
本発明において、「入力基準オブジェクトの操作のためのインターフェース」は、第１領域内において、入力基準オブジェクトの位置を移動させるための多様なインターフェースを意味する。例えば、このようなインターフェースは、入力基準オブジェクトの位置を１つの軸に沿って変更するためのスライダー、及びスライダー上で動くものであり、入力基準オブジェクトの位置を意味するノブを含んでよい。また、このようなインターフェースは、入力基準オブジェクトの位置を二次元空間内で変更するための、全方向に操作が可能なノブを含んでもよい。ただし、前述の２つのインターフェースは、例示的なものであり、ユーザの操作に対応し、オブジェクトの位置を移動させることができる手段であるならば、本発明に制限なしに使用される。
【００８６】
一方、制御部１２０は、インターフェース表示において、第２領域内のいずれか１つの地点を基準地点として設定することができる。ここで、該基準地点は、第１領域内における入力基準オブジェクトの現在位置と対応する地点を意味する。
【００８７】
制御部１２０は、第１領域内における入力基準オブジェクトの現在位置と対応する基準地点を、第２領域内に設定することにより、他の領域である第１領域にある入力基準オブジェクトの位置を第２領域に示し、それを参照し、ユーザが第１領域内の入力基準オブジェクトの位置を第２領域で変更できるようにする。
【００８８】
一方、Ｓ３２の「入力基準オブジェクトのアクティブ化」及びＳ３３の「操作のためのインターフェースの表示」は、説明のために時系列的に記載されたものであり、同時または順次に実行されてよい。
【００８９】
一実施形態による制御部１２０は、第２領域に表示されたインターフェースに対するユーザの第２入力を取得することができる（Ｓ３４）。
【００９０】
ここで、第２入力は、インターフェースの種類によって異なる。例えば、インターフェースが、入力基準オブジェクトの位置を１つの軸に沿って変更するためのスライダー、及びスライダー上で動くものであり、入力基準オブジェクトの位置を意味するノブを含む場合、制御部１２０は、スライダー上のノブに対する連続する入力を取得することができる。ここで、「連続する入力」は、１以上の入力が、ドラッグで連結されることを意味し、ドラッグは、最初入力がなされた状態で、入力の解除なしに、他の地点に入力を移動させることを意味する。言い換えれば、制御部１２０は、ノブに対する入力を含み、ドラッグで連結された連続する入力を取得することができる。
【００９１】
また、インターフェースが、入力基準オブジェクトの位置を二次元空間内で変更するための、全方向に操作が可能なノブを含む場合、制御部１２０は、ノブを一方向に押したり引いたりするドラッグ及び／またはタッチを取得することができる。
【００９２】
第２入力は、前述の例示に限定されるものではなく、インターフェースの種類によって異なる。
【００９３】
一実施形態による制御部１２０は、取得された第２入力に基づいて、第１領域内における入力基準オブジェクトの位置を変更することができる（Ｓ３５）。
【００９４】
例えば、制御部１２０は、基準地点と、第２入力に対応する入力地点との相対的位置関係；及び入力基準オブジェクトの現在位置と、入力基準オブジェクトの変更位置との相対的位置関係；が対応するように、第１領域内における入力基準オブジェクトの位置を、変更位置に変更することができる。ここで、この場合にも、前述のように、基準地点は、第１領域内における入力基準オブジェクトの現在位置と対応する地点を意味するということは言うまでもない。
【００９５】
例えば、インターフェースが、入力基準オブジェクトの位置を１つの軸に沿って変更するためのスライダー、及びスライダー上で動くものであり、入力基準オブジェクトの位置を意味するノブを含み、基準地点がスライダーの中央であると仮定する。このとき、ユーザが、基準地点を基準にし、スライダー上の左にノブをドラッグした場合、基準地点と、第２入力に対応する入力地点との相対的位置関係は、中央である地点（基準地点）、及び中央より相対的に左側である地点（第２入力に対応する地点）になり得る。制御部１２０は、かような相対的な位置関係を参照し、入力基準オブジェクトの現在位置と変更位置との関係が、前述の関係に対応するように、入力基準オブジェクトの変更位置を決定することができる。言い換えれば、制御部１２０は、入力基準オブジェクトの変更位置が、入力基準オブジェクトの現在位置より相対的に左側に位置するように、入力基準オブジェクトの変更位置を決定することができる。
【００９６】
このとき、制御部１２０は、基準地点と、第２入力に対応する入力地点との間の距離（第１距離）を参照し、入力基準オブジェクトの現在位置と、入力基準オブジェクトの変更位置との距離（第２距離）を決定することができる。例えば、制御部１２０は、前述の第１距離と、前述の第２距離とが同一であるように決定することもできるし、第２距離が、第１距離の２倍、３倍または５倍になるように決定することもできる。かような倍率の決定は、表示部１１０の大きさ、入力手段（図示せず）の感度などに応じて設定されてもよいし、あるいはユーザによって設定されてもよい。
【００９７】
一方、インターフェースが、入力基準オブジェクトの位置を二次元空間内で変更するための、全方向に操作が可能なノブを含み、基準地点がインターフェースの中央であると仮定する。このとき、ユーザが、基準地点を基準にし、インターフェースの左上端にノブをドラッグした場合、基準地点と、第２入力に対応する入力地点との相対的位置関係は、中央である地点（基準地点）、及び中央より相対的に左上端である地点（第２入力に対応する地点）になり得る。制御部１２０は、かような相対的位置関係を参照し、入力基準オブジェクトの変更位置が、入力基準オブジェクトの現在位置より相対的に左上端に位置するように、入力基準オブジェクトの変更位置を決定することができる。ここで、かような場合にも、制御部１２０は、第１距離、及び設定された倍率を用いて、第２距離を決定することができるということは言うまでもない。
【００９８】
一方、制御部１２０は、第２入力が、連続する１以上の入力を含む場合、連続する第２入力に基づいて、第１領域内における入力基準オブジェクトの位置を変更することができる。
【００９９】
さらには、制御部１２０は、連続する第２入力が終わった場合、第２領域内の基準地点と対応する第１領域内の地点を、第１領域内における入力基準オブジェクトの現在位置と対応する地点に更新することができる（Ｓ３６）。例えば、第２入力であるノブを、左側にドラッグする入力が終われば、制御部１２０は、ノブが再びスライダーの中央に表示されるようにすると同時に、ノブの位置と対応する第１領域内における地点を、第１領域内における入力基準オブジェクトの現在位置と対応する地点に更新することができる。言い換えれば、制御部１２０は、第２入力が終わった場合、第２領域内の基準地点と対応する第１領域内の地点を、第１領域内における入力基準オブジェクトの現在位置と対応する地点に更新することができる。
【０１００】
一実施形態による制御部１２０は、第１領域において、変更された位置に入力基準オブジェクトを表示することができる（Ｓ３７）。
【０１０１】
図４ないし図６は、一実施形態による、ユーザ端末１００の表示部１１０に表示される画面を図示したものである。
【０１０２】
図４は、本発明の一実施形態による、ユーザ端末１００の表示部１１０上に、第１入力を実行する画面５１０，５２０，５３０を図示したものである。
【０１０３】
まず、最初の画面５１０を参照すると、画面５１０は、ウェブアドレスを入力する第１領域５１１と、付随的なメニューを含むヘッダ領域５１３と、ウェブページが表示されるウェブページ表示領域５１４と、を含んでよい。
【０１０４】
制御部１２０が、画面５１０の第１領域５１１に対する第１入力であるタッチ入力５１２を取得した場合、制御部１２０は、２番目の画面５２０のように、第１領域５２１において、入力基準オブジェクト５２２をアクティブ化し、第２領域５２３に、入力基準オブジェクトの操作のためのインターフェースを表示することができる。ここで、制御部１２０は、第１領域に対する入力を実行するためのキーパッド５２６をさらに表示することができるということは言うまでもない。このとき、該インターフェースは、入力基準オブジェクト５２２の位置変更のためのスライダー５２５、及び基準地点または第２入力に対応する入力地点に表示されるものであり、スライダー５２５上に表示されるノブ５２４を含んでよい。
【０１０５】
一方、ユーザは、３番目の画面５３０のように、キーパッド５３２を利用して、アクティブ化された入力基準オブジェクトによって、第１領域５３１にウェブアドレスを入力することができる。
【０１０６】
図５は、インターフェースを介して、入力基準オブジェクトの位置を変更する画面６１０，６２０，６３０を図示したものである。
【０１０７】
まず、最初の画面６１０を参照すると、ウェブアドレスを入力した場合、入力基準オブジェクト６１３は、ウェブアドレスの最後の文字の後に位置することが一般的である。このとき、従来技術によれば、入力ミスである「ｈｔｉｔｐ」を「ｈｔｔｐ」に修正しようとする場合、ユーザは、「ｈｔｉｔｐ」のｉが位置するところを正確にタッチしなければならなかった。
【０１０８】
しかし、本発明の一実施形態によれば、ユーザは、スライダー６１２上のノブ６１１を左右に操作することにより、入力基準オブジェクト６１３の位置を変更させることができる。さらに具体的には、２番目の画面６２０を参照すると、ユーザは、ノブ６２１をスライダー６２３に沿って左側に移動させるドラッグ入力６２２を実行することにより、入力基準オブジェクト６２４を、入力ミスが発生した位置に正確に移動させることができる。このとき、スライダーは、ユーザのドラッグ入力によって長さが拡張される。
【０１０９】
一方、第２入力であるドラッグ入力６２２が終わった場合、３番目の画面６３０のように、入力基準オブジェクト６３１は、最後の修正が発生した位置に位置し、ノブ及びスライダーは、本来の状態に復旧される。すなわち、ノブ６３３は、再び中央に位置し、スライダー６３２は、長さが再び縮小される。このとき、制御部１２０は、基準地点、すなわち、ノブ６３３が位置する中央地点を、入力基準オブジェクト６３１の現在位置と対応する地点に更新することができる。
【０１１０】
その後、ユーザは、再びノブ６３３をスライダー６３２上のある一地点に移動させることにより、入力基準オブジェクト６３１の位置を変更することができる。
【０１１１】
図６は、二次元インターフェースを介して、入力基準オブジェクトの位置を変更する画面７１０，７２０を図示したものである。
【０１１２】
まず、最初の画面７１０を参照すると、「かなり便利な」で入力ミスが発生したということを確認することができる。従来技術によれば、ユーザは、「ｋ」が位置するところを正確にタッチしなければならなかった。
【０１１３】
しかし、本発明の一実施形態によれば、ユーザは、ノブ７１２を、左右だけではなく、上下にも操作することにより、入力基準オブジェクト７１１の位置を変更させることができる。
【０１１４】
さらに具体的には、２番目の画面７２０を参照すると、ユーザは、ノブ７２２を右上にドラッグする入力７２３を実行することにより、入力基準オブジェクト７２１を、入力ミスが発生した位置である「ｋ」に正確に移動させることができる。
【０１１５】
上記で説明した本発明による実施形態は、コンピュータ上で多様な構成要素を介して実行されるコンピュータプログラムの形態で具現化され、かようなコンピュータプログラムは、コンピュータで読み取り可能な記録媒体に記録される。ここで、このような媒体は、ハードディスク、フロッピー（登録商標）ディスク及び磁気テープのような磁気媒体；ＣＤ（compact  disc）−ＲＯＭ（read  only  memory）及びＤＶＤ（digital  versatile  disc）のような光記録媒体；フロプティカルディスク（floptical  disk）のような光磁気媒体；及びＲＯＭ、ＲＡＭ（random  access  memory）、フラッシュメモリのような、プログラム命令を保存して実行するように特別に構成されたハードウェア装置；を含んでよい。さらに、このような媒体は、ネットワーク上で伝送可能な形態で具現化される無形の媒体を含んでもよく、例えば、ソフトウェア形態またはアプリケーション形態に具現化され、ネットワークを介して、伝送及び配布が可能な形態の媒体であってもよい。
【０１１６】
一方、コンピュータプログラムは、本発明のために特別に設計されて構成されたものでもあり、コンピュータソフトウェア分野の当業者に周知の使用可能なものでもある。コンピュータプログラムの例としては、コンパイラによって使用されるような機械語コードだけではなく、インタープリタなどを使用して、コンピュータによって実行される高級言語コードも含まれる。
【０１１７】
本発明において説明した特定の実行は、一実施形態であり、いかなる方法によっても、本発明の範囲を限定するものではない。明細書の簡潔さのために、従来の電子的な構成、制御システム、ソフトウェア、前記システムの他の機能的な側面の記載は省略している。また、図面に図示された構成要素間の線の連結の有無は、機能的な連結及び／または物理的または回路的な連結を例示的に示したものであり、実際の装置では、代替可能であったり追加されたりする多様な機能的な連結、物理的な連結または回路の連結としても示される。また、「必須な」、「重要に」というように、具体的な言及がなければ、本発明の適用のために必ずしも必要な構成要素ではないこともある。
【０１１８】
従って、本発明の思想は、前述の実施形態に限定して決定されるものではなく、特許請求の範囲のみならず、特許請求の範囲と均等であるか、あるいはそれらから等価的に変更された全ての範囲は、本発明の思想の範疇に属するものであるといえる。
【産業上の利用可能性】
【０１１９】
本発明の表示制御方法、表示制御装置及びコンピュータプログラムは、例えば、携帯用メッセージ送受信関連の技術分野に効果的に適用可能である。
【符号の説明】
【０１２０】
１００    ユーザ端末
１１０    表示部
１２０    制御部
１３０    メモリ
５１０，６１０，７１０    最初の画面
５１１，５２１，５３１    第１領域
５１２    タッチ入力
５１３    ヘッダ領域
５２２，６１３，６２４，６３１，７１１，７２１    入力基準オブジェクト
５２３    第２領域
５２４，６１１，６２１，６３３，７１２，７２２    ノブ
５２５，６１２，６２３，６３２    スライダー
５２６，５３２    キーパッド
５２０，６２０，７２０    ２番目の画面
５３０，６３０    ３番目の画面
６２２，７２３    ドラッグ入力
【図１】
2018018484.tif 000003
【図２】
2018018484.tif 000004
【図３】
2018018484.tif 000005
【図４】
2018018484.tif 000006
【図５】
2018018484.tif 000007
【図６】
2018018484.tif 000008
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
表示部上に表示された第１領域に対するユーザの第１入力を取得する段階と、
前記第１入力に基づいて、前記第１領域内の入力基準オブジェクトをアクティブ化する段階と、
前記第１入力に基づいて、前記表示部上の第２領域に、前記入力基準オブジェクトの操作のためのインターフェースを表示する段階と、
前記インターフェースに対するユーザの第２入力を取得する段階と、
前記第２入力に基づいて、前記第１領域内における前記入力基準オブジェクトの位置を変更する段階と、を含み、
前記インターフェースを表示する段階は、
前記第２領域内のいずれか１つの地点を基準地点として設定し、
前記基準地点は、前記第１領域内における前記入力基準オブジェクトの現在位置と対応する地点である、表示制御方法。
【請求項２】
前記入力基準オブジェクトの位置を変更する段階は、
前記基準地点と、前記第２入力に対応する入力地点との相対的位置関係；及び前記入力基準オブジェクトの現在位置と、前記入力基準オブジェクトの変更位置との相対的位置関係；が対応するように、前記第１領域内における前記入力基準オブジェクトの位置を、前記変更位置に変更する、請求項１に記載の表示制御方法。
【請求項３】
前記第１領域内において、前記入力基準オブジェクトの位置は、１つの軸に沿って変更され、
前記インターフェースは、
前記入力基準オブジェクトの位置変更のための、一方向に沿って延びているスライダーと、
前記基準地点または前記第２入力に対応する入力地点に表示されるものであり、前記スライダー上に表示されるノブと、を含む、請求項１または２に記載の表示制御方法。
【請求項４】
前記第２入力は、連続する１以上の入力を含み、
前記１以上の入力のうち少なくとも一つは、前記ノブに対する入力である、請求項３に記載の表示制御方法。
【請求項５】
前記第２入力が終わった後、前記基準地点と対応する地点を、前記第１領域内における前記入力基準オブジェクトの現在位置と対応する地点に更新する段階をさらに含む、請求項１ないし４のうちいずれか１項に記載の表示制御方法。
【請求項６】
前記第１領域内において、前記入力基準オブジェクトの位置は、二次元空間上で変更され、
前記インターフェースは、
前記入力基準オブジェクトの位置変更のための二次元平面と、
前記基準地点または前記第２入力に対応する入力地点に表示されるものであり、前記二次元平面上に表示されるノブと、を含む、請求項１または２に記載の表示制御方法。
【請求項７】
前記第１領域において、前記の変更された位置に前記入力基準オブジェクトを表示する段階をさらに含む、請求項１ないし６のうちいずれか１項に記載の表示制御方法。
【請求項８】
前記第１領域は、テキストが入力されるテキストボックスであり、
前記第１入力は、前記テキストボックスの少なくとも一部に対するタップ、クリック及びタッチのうちいずれか一つである、請求項１ないし７のうちいずれか１項に記載の表示制御方法。
【請求項９】
１以上の領域を含む画面を表示する表示部と、
前記表示部上に表示された１以上のオブジェクトに対するユーザの入力を取得する入力部と、
前記入力部が、前記表示部上に表示された第１領域に対するユーザの第１入力を取得した場合、前記第１領域内の入力基準オブジェクトをアクティブ化し、前記表示部上の第２領域に、前記入力基準オブジェクトの操作のためのインターフェースを表示し、前記第２領域内のいずれか１つの地点を基準地点として設定し、前記入力部が、前記表示部上に表示された前記インターフェースに対するユーザの第２入力を取得した場合、前記第２入力に基づいて、前記第１領域内における前記入力基準オブジェクトの位置を変更する制御部と、を含み、
前記基準地点は、前記第１領域内における前記入力基準オブジェクトの現在位置と対応する地点である、表示制御装置。
【請求項１０】
前記制御部は、前記基準地点と、前記第２入力に対応する入力地点との相対的位置関係；及び前記入力基準オブジェクトの現在位置と、前記入力基準オブジェクトの変更位置との相対的位置関係；が対応するように、前記第１領域内における前記入力基準オブジェクトの位置を、前記変更位置に変更する、請求項９に記載の表示制御装置。
【請求項１１】
前記制御部は、前記第１領域内において、１つの軸に沿って前記入力基準オブジェクトの位置を変更し、
前記インターフェースは、
前記入力基準オブジェクトの位置変更のための、一方向に沿って延びているスライダーと、
前記基準地点または前記第２入力に対応する入力地点に表示されるものであり、前記スライダー上に表示されるノブと、を含む、請求項９または１０に記載の表示制御装置。
【請求項１２】
前記入力部は、連続する１以上の入力を含む第２入力を取得し、
前記１以上の入力のうち少なくとも一つは、前記ノブに対する入力である、請求項１１に記載の表示制御装置。
【請求項１３】
前記入力部による前記第２入力の取得が終わった場合、前記制御部は、前記基準地点と対応する地点を、前記第１領域内における前記入力基準オブジェクトの現在位置と対応する地点に更新する、請求項９ないし１２のうちいずれか１項に記載の表示制御装置。
【請求項１４】
前記制御部は、前記第１領域内において、二次元空間上で前記入力基準オブジェクトの位置を変更し、
前記インターフェースは、
前記入力基準オブジェクトの位置変更のための二次元平面と、
前記基準地点または前記第２入力に対応する入力地点に表示されるものであり、前記二次元平面上に表示されるノブと、を含む、請求項９または１０に記載の表示制御装置。
【請求項１５】
前記制御部は、前記第１領域において、前記の変更された位置に前記入力基準オブジェクトを表示する、請求項９ないし１４のうちいずれか１項に記載の表示制御装置。
【請求項１６】
コンピュータに、請求項１ないし８のうちいずれか１項に記載の表示制御方法を実行させるコンピュータプログラム。